(57)【要約】      （修正有）【課題】誤検出を防止し、確実に乗客を検出して、乗客コンベアが正確に運転動作を行い、正確な警報動作をする検出装置を備えた乗客コンベアを提供する。【解決手段】下部にスカートを配した欄干を両側に備え、乗り口に乗降板３を備え、踏段が走行する乗客コンベアであって、乗り口の乗客を検出し、停止状態又は低速運転状態から、一定速度運転に切り替わる乗客コンベアにおいて、第一検出装置２を欄干先端より外方の乗降板下のトラス１内に設け、第一検出装置２における検出方向を乗り口と交差するように欄干先端方向に向けた。【選択図】図１
2011241075.tif 000002
【特許請求の範囲】
【請求項１】
下部にスカートを配した欄干を両側に備え、乗り口に乗降板を備え、踏段が走行する乗客コンベアであって、乗り口の乗客を検出し、停止状態又は低速運転状態から、一定速度運転に切り替わる乗客コンベアにおいて、第一検出装置を欄干先端より外方の乗降板下のトラス内に設け、第一検出装置における検出方向を乗り口と交差するように欄干先端方向に向けたことを特徴とする乗客コンベア。
【請求項２】
前記、乗客コンベアにおいて、第二検出装置を欄干先端より内方の乗降板下のトラス内又は欄干下部のスカート先端内部に設け、第二検出装置の検出方向が欄干と直交する方向又は乗り口と交差するように欄干先端方向に向けたことを特徴とする請求項１に記載の乗客コンベア。
【請求項３】
乗客コンベアにおいて、第一検出装置を複数の対でトラス内に設けたことを特徴とする請求項１又は２に記載の乗客コンベア。
【請求項４】
複数の第一検出装置を検出した順番で乗客の進入方向を判断し、乗客コンベアの運転方向と逆方向から乗り込む乗客に対して警報を発することを特徴とする請求項３に記載の乗客コンベア。
【発明の詳細な説明】
【技術分野】
【０００１】
本発明の実施形態は、乗客コンベアに関する。
【背景技術】
【０００２】
従来、乗客を検出し、停止状態又は低速運転状態から、一定速度の定格速度運転に切り替わる乗客コンベアの乗客検出方法としては、乗降板先端部分に検出装置を内蔵したポールを設置する方法又は先端インレットと先端スカート内部に検出装置を内蔵する方法が一般的である。建物における設置スペースの問題で、検出装置を内蔵したポールを設置できない場合は、先端インレットと先端スカート内部に検出装置を設置するのが有効である。しかし、乗客コンベアの機種によっては先端インレットと先端スカート内部に検出装置の両方を内蔵することが難しい場合や、先端インレットから乗降板先端部分、すなわち乗り口から外方に向けられた検出装置が、乗客コンベアの乗り口付近を横切った通行人を乗客であると誤検出し、乗客コンベアの不要な運転や警報動作をする場合があった。前述の問題を解決する方法として、検出装置を乗降板上に設けたものがある。これにより検出装置を設置することの問題は解決される。
【先行技術文献】
【特許文献】
【０００３】
【特許文献１】特開２００４−５１２９３公報
【発明の概要】
【発明が解決しようとする課題】
【０００４】
しかしながら、前記従来の検出装置は先端インレットから乗降板先端部分に向けられているために、誤検出の問題は解決できない。
【０００５】
本発明の実施形態は、上記問題点を解決するためになされたものであり、誤検出を防止し、確実に乗客を検出して、乗客コンベアが正確に運転動作を行い、正確な警報動作をする検出装置を備えた乗客コンベアを提供することにある。
【課題を解決するための手段】
【０００６】
本発明の実施形態に係る乗客コンベアは、下部にスカートを配した欄干を両側に備え、乗り口に乗降板を備え、踏段が走行する乗客コンベアであって、乗り口の乗客を検出し、停止状態又は低速運転状態から、一定速度運転に切り替わる乗客コンベアにおいて、第一検出装置を欄干先端より外方の乗降板下のトラス内に設け、第一検出装置における検出方向を乗り口と交差するように欄干先端方向に向けたことを特徴とするものである。
【図面の簡単な説明】
【０００７】
【図１】本発明の実施例１の機器構成を示し、図中（ａ）は概略側面図であり、（ｂ）は概略平面図である。
【図２】本発明の実施例２の機器構成を示し、図中（ａ）は概略側面図であり、（ｂ）は概略平面図である。
【図３】本発明の実施例３の機器構成を示し、図中（ａ）は概略側面図であり、（ｂ）は概略平面図である。
【発明を実施するための形態】
【０００８】
以下、本発明に係る実施例１〜３について、図面を参照して説明する。
【実施例１】
【０００９】
本実施例の機器構成を側面から見た図１（ａ）に示されるように、乗降板先端部（乗客コンベアの乗り口の反対側）両側のトラス１内には、第一検出装置２が取り付けられており、乗降板３の前記第一検出装置２に該当する箇所にはガラス又はアクリルなどの透明板４が設けてあり、第一検出装置２の検出方向が透明板４を通して欄干先端方向に向かうように斜め上方に向けて配置されている。
【００１０】
また、先端スカート５の内部には、第二検出装置６が取り付けられている。また、本実施例の機器構成を上方から見た図１（ｂ）に示すように、第一検出装置２の検出方向は乗降板３の両側先端から乗り口と交差するように乗り口の中央方向に向かって、乗客を検出するように配置されており、第二検出装置６の検出方向は欄干と直交する方向に配置されている。
【００１１】
次に本実施例の作用について説明する。乗客コンベアの停止状態又は低速運転状態において、トラス１内に取り付けられた第一検出装置２が乗客を検出すると、乗客コンベアは定格速度運転に切り替わるように制御されている。その後、第二検出装置６が乗客を検出することで乗客コンベアは一定時間定格速度運転を継続し、その後、乗客コンベアは停止状態又は低速運転状態に移行するように制御されている。第一検出装置２が乗客を検出し、乗客コンベアが定格速度運転に切り替わった後に、第二検出装置６が乗客を検出しなかった場合は、乗客コンベアは一定時間に停止状態又は低速運転状態へ移行するように制御されている。乗客コンベアの運転制御に関しては従来と同様であるので、説明は省略する。
【００１２】
本実施例による効果については、従来は先端インレットから乗降板先端方向、すなわち外方に向けていた検出装置を、本実施例のように欄干先端より外方の乗降板下のトラス内に第一検出装置２を設け、第一検出装置２における検出方向を乗り口と交差するように乗降板先端方向から欄干先端方向、すなわち内方である乗り口方向に向けることで、乗客素通りによる誤検出をなくすことができる。このように第一検出装置２は乗降板先端部分に設置されており、乗降板先端部分から欄干先端部分に向けて、乗客を検出するように検出装置が設置されているため、乗客を不要に検出する可能性がなくなり、確実に乗客コンベアに乗り込もうとする乗客のみを検出することができる。また、第一検出装置２をトラス内に設けることで、検出装置の設置スペースを確保しやすいことや、保守時に乗降板３だけを開ければ、第一検出装置２を調整することができるので作業性も向上する。さらに第二検出装置６を設けたことにより、第一検出装置２により検出した乗客が乗客コンベアに乗り込まなかった場合に、乗客コンベアを一定時間に停止状態又は低速運転状態へ移行させるので、乗客コンベアの定格速度運転の時間を短縮できて無用に乗客コンベアが定格速度運転していることによる電力消費を軽減できる。
【００１３】
なお、乗客コンベアの降り口側においては上記の第一検出装置２及び第二検出装置６は逆進入を乗客に報知する役割を果たし、第一検出装置２が乗客を検出したときには警報音を鳴らし、第二検出装置６が乗客を検出したときには大きな警報音を鳴らすように設定し、乗客コンベアが低速運転をしているときは停止させ、定格速度運転をしているときは変化しないように設定する。そして、乗客コンベアの昇降を切り替えたときには、第一検出装置２及び第二検出装置６の機能も合わせて切り替わるように設定する。
【実施例２】
【００１４】
実施例１では、第二検出装置６は先端スカート５の内部に取り付けているが、本実施例においては、図２（ａ）（ｂ）に示すように、第二検出装置７を乗降板後端部（乗り口付近）両側のトラス内１に設置し、その検出方向を乗り口と交差するように欄干先端方向に向けたものである。すなわち、本実施例の機器構成を側面から見た図２（ａ）に示されるように、第一検出装置２は、実施例１と同様に、乗降板先端部両側のトラス１内に取り付けられており、乗降板３の前記第一検出装置２に該当する箇所にはガラス又はアクリルなどの透明板４が設けてあり、第一検出装置２の検出方向が透明板４を通して欄干先端方向に向かうように斜め上方に向けて配置されている。
【００１５】
また、乗降板後端部の内部には、第二検出装置７が取り付けられており、乗降板３の前記第二検出装置７に該当する箇所にはガラス又はアクリルなどの透明板４’が設けてあり、第二検出装置７の検出方向が透明板４’を通して欄干先端方向に向かうように斜め上方に向けて配置されている。また、本実施例の機器構成を上方から見た図２（ｂ）に示すように、第一検出装置２の検出方向は乗降板３の両側先端から乗り口と交差するように乗り口の中央方向に向かって、乗客を検出するように配置されており、第二検出装置７の検出方向は前述したように乗り口と交差するように欄干先端方向になるように配置されている。
【００１６】
本実施例の作用はほぼ実施例１と同様である。すなわち、乗客コンベアの停止状態又は低速運転状態において、トラス１内に取り付けられた第一検出装置２が乗客を検出すると、乗客コンベアは定格速度運転に切り替わるように制御されている。その後、第二検出装置７が乗客を検出することで乗客コンベアは一定時間定格速度運転を継続し、その後、乗客コンベアは停止状態又は低速運転状態に移行するように制御されている。第一検出装置２が乗客を検出し、乗客コンベアが定格速度運転に切り替わった後に、第二検出装置７が乗客を検出しなかった場合は、乗客コンベアは一定時間に停止状態又は低速運転状態へ移行するように制御されている。乗客コンベアの運転制御に関しては従来と同様であるので、説明は省略する。
【００１７】
本実施例による効果については実施例１とほぼ同様であり、従来は先端インレットから乗降板先端方向、すなわち外方に向けていた検出装置を、本実施例のように欄干先端より外方の乗降板下のトラス内に第一検出装置２を設け、第一検出装置２における検出方向を乗り口と交差するように乗降板先端方向から欄干先端方向、すなわち内方である乗り口方向に向けることで、乗客素通りによる誤検出をなくすことができる。このように第一検出装置２は乗降板先端部分に設置されており、乗降板先端部分から欄干先端部分に向けて、乗客を検出するように検出装置が設置されているため、乗客を不要に検出する可能性がなくなり、確実に乗客コンベアに乗り込もうとする乗客のみを検出することができる。また、第一検出装置２をトラス内に設けることで、検出装置の設置スペースを確保しやすいことや、保守時に乗降板３だけを開ければ、第一検出装置２を調整することができるので作業性も向上する。さらに第二検出装置７を設けたことにより、第一検出装置２により検出した乗客が乗客コンベアに乗り込まなかった場合に、乗客コンベアを一定時間に停止状態又は低速運転状態へ移行させるので、乗客コンベアの定格速度運転の時間を短縮できて無用に乗客コンベアが定格速度運転していることによる電力消費を軽減できる。なお、実施例１における第二検出装置６は直線的に検出するが、本実施例における第二検出装置７は空間的に検出するので、検出漏れが少ない利点がある。
【００１８】
なお、乗客コンベアの降り口側においては上記の第一検出装置２及び第二検出装置７は逆進入を乗客に報知する役割を果たし、第一検出装置２が乗客を検出したときには警報音を鳴らし、第二検出装置７が乗客を検出したときには大きな警報音を鳴らすように設定し、乗客コンベアが低速運転をしているときは停止させ、定格速度運転をしているときは変化しないように設定する。そして、乗客コンベアの昇降を切り替えたときには、第一検出装置２及び第二検出装置７の機能も合わせて切り替わるように設定する。
【実施例３】
【００１９】
本実施例は、第一検出装置を複数設けた例である。本実施例においては、図３（ａ）（ｂ）に示すように、第一検出装置（Ａ）８と第一検出装置（Ｂ）９とを設けている。なお、本実施例における機器構成は第一検出装置（Ａ）８と第一検出装置（Ｂ）９とを設けている以外は実施例２とほぼ同様なので、その説明は省略する。
【００２０】
その作用としては、図３（ａ）（ｂ）の場合において、例えば乗客コンベアが上昇方向であって乗客コンベアが停止状態又は低速運転状態にあるとすると、図３（ａ）（ｂ）示す箇所は乗客コンベアの降り口となり、この降り口に乗客が侵入すると逆侵入となる。この場合において、第一検出装置（Ａ）８のみが乗客を検出した場合は、警報音を鳴らさないようにする。そして、第一検出装置（Ａ）８から第一検出装置（Ｂ）９の順に乗客を検出した場合には警報音を鳴らすように制御しておく。さらに、第一検出装置（Ａ）８、第一検出装置（Ｂ）９、第二検出装置７の順に乗客を検出した場合は、大きな警報音を鳴らし、乗客コンベアの運転を停止させるように制御する。なお、乗客コンベアが定格速度運転の場合には乗客コンベアの運転は変化させないようにする。したがって、乗客コンベアが定格速度運転の場合に乗客が下階から上昇してきて降り口から降りてくる場合には各検出装置の通過順が前記と異なるので警報音は鳴らない。
【００２１】
また、図３（ａ）（ｂ）の場合において、例えば乗客コンベアが下降方向である場合は、第一検出装置（Ａ）８及び第一検出装置（Ｂ）９は実施例２における第一検出装置２と同様の作用を果たし、第二検出装置７は実施例２における第二検出装置７と同様の作用を果たす。
【符号の説明】
【００２２】
１・・・トラス
２・・・第一の検出装置（反射型）
３・・・乗降板
４，４’・・・透明板
５・・・先端スカート
６・・・第二の検出装置（透過型）
７・・・第二の検出装置（反射型）
８・・・第一の検出装置（Ａ）（反射型）
９・・・第一の検出装置（Ｂ）（反射型）
【図１】
2011241075.tif 000003
【図２】
2011241075.tif 000004
【図３】
2011241075.tif 000005